(57)【要約】【課題】周辺ボケなどの対策のために、高精度な部品や高精度な製造工程を取り入れることなく、光学系の再調整の工程も不要にする。【解決手段】被写体像を合焦させるための合焦情報を得る焦点制御手段と、合焦情報に基づいて焦点調節を行う撮像光学系駆動手段と、撮像光学系により結像された被写体像を撮像する撮像手段と、非フォーカスエリアにおける合焦ずれ量を示す相対的合焦位置情報を記憶する合焦位置情報記憶手段と、フォーカスエリアに合焦させた状態での撮像と、非フォーカスエリアに合焦させた状態での撮像とを行うように制御する制御手段と、フォーカスエリアに合焦させた状態で得た画像データに対して、非フォーカスエリアに合焦させた状態で得た該非フォーカスエリアの画像データを合成する画像合成手段と、を有する。【選択図】      図１
2004241823.tif 000002
【特許請求の範囲】
【請求項１】
所定のフォーカスエリアについて合焦情報を得て、該合焦情報に基づいて撮像光学系の少なくとも一部を駆動することで焦点調節を行い、撮像光学系により結像された被写体像を撮像する撮像方法であって、
前記フォーカスエリア以外の所定の非フォーカスエリアにおける、前記フォーカスエリアに対する合焦ずれ量を示す相対的合焦位置情報を予め記憶しておき、フォーカスエリアに合焦させた状態での撮像と、前記相対的合焦位置情報に基づいて、前記相対的合焦位置情報が存在する非フォーカスエリアに合焦させた状態での撮像とを行い、
フォーカスエリアに合焦させた状態で得た画像データに対して、前記相対的合焦位置情報が存在する非フォーカスエリアに合焦させた状態で得た該非フォーカスエリアの画像データを合成する、
ことを特徴とする撮像方法。
【請求項２】
被写体像を結像させるための撮像光学系と、
所定のフォーカスエリアについて、前記被写体像を合焦させるための合焦情報を得る焦点制御手段と、
前記合焦情報に基づいて前記撮像光学系の少なくとも一部を駆動することで焦点調節を行う撮像光学系駆動手段と、
前記撮像光学系により結像された被写体像を撮像する撮像手段と、
前記フォーカスエリア以外の所定の非フォーカスエリアにおける、前記フォーカスエリアに対する合焦ずれ量を示す相対的合焦位置情報を記憶する合焦位置情報記憶手段と、
フォーカスエリアに合焦させた状態での撮像と、前記合焦位置情報記憶手段に記憶された相対的合焦位置情報に基づいて、前記相対的合焦位置情報が存在する非フォーカスエリアに合焦させた状態での撮像とを行うように制御する制御手段と、
フォーカスエリアに合焦させた状態で得た画像データに対して、前記相対的合焦位置情報が存在する非フォーカスエリアに合焦させた状態で得た該非フォーカスエリアの画像データを合成する画像合成手段と、
を有することを特徴とする撮像装置。
【請求項３】
前記非フォーカスエリアは、撮像範囲に含まれる周辺部に定められている、
ことを特徴とする請求項２記載の撮像装置。
【請求項４】
前記非フォーカスエリアは、撮像範囲に含まれる周辺部の複数の位置に定められている、
ことを特徴とする請求項２記載の撮像装置。
【発明の詳細な説明】
【０００１】
【発明の属する技術分野】
本発明はＣＣＤなどの撮像素子を用いて撮像する撮影方法および撮像装置に関し、特に、良好な撮像結果を得ることが可能な撮影方法および撮像装置の改良に関する。
【０００２】
【従来の技術】
一般的なディジタルカメラの場合、所定のフォーカスエリア（撮像範囲の中心部分など）について合焦情報を得て、該合焦情報に基づいて撮像光学系の少なくとも一部を駆動することで焦点調節を行い、撮像光学系により結像された被写体像を撮像するように構成されている。
【０００３】
ところで、この種のディジタルカメラやデジタルビデオカメラ等では、ＣＣＤ等の固体撮像素子の小型化に伴いレンズ系も小型化される傾向にある。また、ＣＣＤの画素数は増える傾向にあるため、一層高い精度が要求されてきている。
【０００４】
このような高い精度が要求されるレンズ系では、撮像範囲の中心部分ではピントが合って高い解像度が得られるのにもかかわらず、レンズの光軸ずれなどの問題によって、周辺の一部でピントがずれた状態（片ボケ）や周辺全体でピントがずれた状態（周辺ボケ）が発生することがある。なお、この明細書では、以上の片ボケと周辺ボケとをあわせて、周辺ボケと総称して説明を行うことにする。
【０００５】
このような現象は、小型化に伴い高い精度が要求されつつあるディジタルカメラの場合には、大きな問題となってきている。
【０００６】
なお、このような周辺ボケが生じていることが製造検査の段階で判明した場合には、以下に述べる特許文献１記載のように、再調整をしたうえで出荷するなどの手法をとることがあった。
【０００７】
【特許文献１】
特開平１１−２０２２０４号公報（第１頁、図１）
【０００８】
【発明が解決しようとする課題】
以上のように出荷前に再調整を行うと出荷までの工程が増えて、製造コストが上昇する問題がある。また、再調整の工程が不要なように、予め高精度な部品や製造工程を取り入れることも可能であるが、その場合にも部品コストや製造コストが上昇する問題が生じる。
【０００９】
本発明は以上の課題に鑑みてなされたものであって、周辺ボケなどの対策のために、高精度な部品や高精度な製造工程を取り入れることなく、光学系の再調整の工程も不要にすることが可能な撮影方法および撮像装置を実現することを目的とする。
【００１０】
【課題を解決するための手段】
すなわち、上記の課題を解決する本願発明は、以下のそれぞれに述べるようなものである。
【００１１】
（１）請求項１記載の発明は、所定のフォーカスエリアについて合焦情報を得て、該合焦情報に基づいて撮像光学系の少なくとも一部を駆動することで焦点調節を行い、撮像光学系により結像された被写体像を撮像する撮像方法であって、前記フォーカスエリア以外の所定の非フォーカスエリアにおける、前記フォーカスエリアに対する合焦ずれ量を示す相対的合焦位置情報を予め記憶しておき、フォーカスエリアに合焦させた状態での撮像と、前記相対的合焦位置情報に基づいて、前記相対的合焦位置情報が存在する非フォーカスエリアに合焦させた状態での撮像とを行い、フォーカスエリアに合焦させた状態で得た画像データに対して、前記相対的合焦位置情報が存在する非フォーカスエリアに合焦させた状態で得た該非フォーカスエリアの画像データを合成する、ことを特徴とする撮像方法である。
【００１２】
また、請求項２記載の発明は、被写体像を結像させるための撮像光学系と、所定のフォーカスエリアについて、前記被写体像を合焦させるための合焦情報を得る焦点制御手段と、前記合焦情報に基づいて前記撮像光学系の少なくとも一部を駆動することで焦点調節を行う撮像光学系駆動手段と、前記撮像光学系により結像された被写体像を撮像する撮像手段と、前記フォーカスエリア以外の所定の非フォーカスエリアにおける、前記フォーカスエリアに対する合焦ずれ量を示す相対的合焦位置情報を記憶する合焦位置情報記憶手段と、フォーカスエリアに合焦させた状態での撮像と、前記合焦位置情報記憶手段に記憶された相対的合焦位置情報に基づいて、前記相対的合焦位置情報が存在する非フォーカスエリアに合焦させた状態での撮像とを行うように制御する制御手段と、フォーカスエリアに合焦させた状態で得た画像データに対して、前記相対的合焦位置情報が存在する非フォーカスエリアに合焦させた状態で得た該非フォーカスエリアの画像データを合成する画像合成手段と、を有することを特徴とする撮像装置である。
【００１３】
また、請求項３記載の発明は、前記非フォーカスエリアは、撮像範囲に含まれる周辺部に定められている、ことを特徴とする請求項２記載の撮像装置である。
【００１４】
また、請求項４記載の発明は、前記非フォーカスエリアは、撮像範囲に含まれる周辺部の複数の位置に定められている、ことを特徴とする請求項２記載の撮像装置である。
【００１５】
これらの発明では、所定のフォーカスエリア（撮像範囲の中心部分など）について合焦情報を得て、該合焦情報に基づいて撮像光学系の少なくとも一部を駆動することで焦点調節を行い、撮像光学系により結像された被写体像を撮像する場合、前記フォーカスエリア以外の所定の非フォーカスエリアにおける、前記フォーカスエリアに対する合焦ずれ量を示す相対的合焦位置情報を予め記憶しておき、フォーカスエリアに合焦させた状態での撮像と、前記相対的合焦位置情報に基づいて、前記相対的合焦位置情報が存在する非フォーカスエリアに合焦させた状態での撮像とを行い、フォーカスエリアに合焦させた状態で得た画像データに対して、前記相対的合焦位置情報が存在する非フォーカスエリアに合焦させた状態で得た該非フォーカスエリアの画像データを合成する。
【００１６】
このようにすることで、所定のフォーカスエリアで合焦させるだけではなく、撮像範囲の周辺位置の非フォーカスエリアでも合焦させた状態の画像データを生成することができるため、周辺ボケなどの対策のために、高精度な部品や高精度な製造工程を取り入れることなく、光学系の再調整の工程も不要にすることが可能になる。また、周辺部において周辺ボケなどによる違和感のない解像感の高い画像を得ることが可能になる。
【００１７】
【発明の実施の形態】
以下、図面を参照して本発明の実施の形態例を詳細に説明する。図１は本発明の実施の形態例である撮像方法および撮像装置について、ディジタルカメラ１００に適用した場合の電気的な主要部分の構成図である。なお、図３はディジタルカメラ１００の外観構成を示す説明図である。
【００１８】
まず、図３を参照して、ディジタルカメラ１００について簡単に説明する。ディジタルカメラ１００の正面には被写体を撮像するための撮像部１０２と、撮影対象に補助光を照射する補助光発光部１２２と、撮影範囲を見定めるためのファインダ１２５と、が設けられている。また、背面において、撮影画像等を確認するための表示を行う画像表示部１０８と、撮影設定状況などを表示する表示部１２６と、各種機能の設定や切替を操作するための操作スイッチ１２１と、が設けられている。また、上面には、レリーズを操作するためのレリーズスイッチ１２１ａが設けられている。
【００１９】
また、図１において、１０１はディジタルカメラ１００の各部を制御する制御手段としてのＣＰＵである。このＣＰＵ１０１は、後述するＥＥＰＲＯＭに格納されているアプリケーションプログラムに基づいて撮像処理を実行する。
【００２０】
１０２は、レンズユニット１０２ａ、絞り１０２ｂ、ＣＣＤ１０２ｃからなり、被写体像の撮像を行う撮像部である。なお、レンズユニット１０２ａと絞り１０２ｂとで撮像光学系を構成している。
【００２１】
１０４はＣＣＤ１０２ｃからの読み出し信号に各種処理を行って画像信号を生成する撮像回路である。なお、ＣＣＤ１０２ｃと撮像回路１０４とで撮像手段を構成している。１０５はＡ−Ｄ変換回路であり、アナログの画像信号をディジタルの画像信号に変換する。このＡ−Ｄ変換回路１０５は、ディジタルの画像信号をメモリ１０６とＡＥ・ＡＦ処理回路１１３に出力する。
【００２２】
１０６は画像信号を一時的に保管する作業用のメモリであり、画像表示や画像記録の直前の画像信号が蓄積されるほか、本実施の形態例の特徴的な動作である画像合成の処理を行う。この画像合成のため、少なくとも、複数画面分の画像信号を保管できる容量を有することが必要となる。なお、ＣＰＵ１０１とメモリ１０６とが画像合成手段を構成している。
【００２３】
１０７はメモリ１０６に蓄積された画像信号を画像表示のためにアナログの画像信号にＤ−Ａ変換するＤ−Ａ変換回路である。１０８は液晶表示パネルなどで構成された画像表示部であり、Ｄ−Ａ変換回路１０７からの画像信号を表示する。なお、表示は撮像する画像に限らず、各種設定のためのテキスト画面であってもよい。
【００２４】
１０９は撮像された画像が記録される記録用メモリであり、ディジタルカメラ１００に使用可能な各種のメモリカードなどが該当する。この記録用メモリ１０９は、ディジタルカメラ１００に挿抜可能な形式のものでもよいし、ディジタルカメラ１００に内蔵されたままの形式のものでもよい。
【００２５】
１１０はメモリ１０９に対して記録する圧縮画像信号を生成するための圧縮処理や、メモリ１０９から圧縮画像信号を読み出して画像信号に戻すための伸長処理を行う圧縮伸長回路である。
【００２６】
１１２は撮像のための所定のタイミング信号を生成するタイミング・ジェネレータ（ＴＧ）である。ＴＧ１１２が生成したタイミング信号は、ＣＰＵ１０１，撮像回路１０４，ＣＣＤドライバ１１４などに供給される。
【００２７】
１１３はＡＥ・ＡＦ処理回路であり、適正な露出条件を求めるＡＥ（Ａｕｔｏ  Ｅｘｐｏｓｕｒｅ：自動露出制御）処理と、合焦のためのＡＦ（Ａｕｔｏ  Ｆｏｃｕｓ：自動焦点制御）処理とを実行し、演算結果をＣＰＵ１０１に伝達する。ＣＰＵ１０１は、このＡＥの演算結果に基づいて絞り１０２ｂを制御し、このＡＦの演算結果に基づいてレンズユニット１０２ａを制御する。
【００２８】
なお、このＡＥ・ＡＦ処理回路１１３は、所定のフォーカスエリア（画面の中心部分など）について、被写体像を合焦させるための合焦情報を得るようにしており、焦点制御手段を構成している。
【００２９】
なお、焦点制御手段としては、この実施の形態例ではパッシブＡＦ方式のものを用いているが、これに限定されるものではない。すなわち、赤外線や超音波等を被写体に照射するアクティブＡＦ方式を用いることも可能である。
【００３０】
１１４はＴＧ１２からのタイミング信号を用いてＣＣＤ１０２ｃを駆動しているＣＣＤドライバであり、ＣＰＵ１０１からの指示に基づいた電荷蓄積時間となるような制御を行う。
【００３１】
１１５は絞り１０２ｂの露出制御をするための第１モータ（第１Ｍ）、１１６は第１Ｍ１１５を駆動するための第１モータ駆動回路である。この第１モータ駆動回路１１６は、ＡＥ・ＡＦ処理回路１１３からのＡＥ演算結果に基づいてＣＰＵ１０１が制御する。
【００３２】
１１７はレンズユニット１０２ａの合焦制御をするための第２モータ（第２Ｍ）、１１８は第２Ｍ１１７を駆動するための第２モータ駆動回路である。この第２モータ駆動回路１１８は、ＡＥ・ＡＦ処理回路１１３からのＡＦ演算結果に基づいてＣＰＵ１０１が制御する。
【００３３】
１１９はディジタルカメラ１００各部に必要な電力を供給する電池であり、必要に応じて図示されない安定化回路や昇圧回路等を介して各部に安定した電圧の電力を供給している。
【００３４】
１２０はＣＰＵ１０１がディジタルカメラ１００の各部を制御するためのアプリケーションプログラムが格納されたＥＥＰＲＯＭである。なお、この実施の形態例では、このＥＥＰＲＯＭ１２０には、前記フォーカスエリア以外の所定の非フォーカスエリアにおける、フォーカスエリアに対する合焦ずれ量を示す相対的合焦位置情報が予め記憶されている。
【００３５】
１２１は各種スイッチが設けられた操作ＳＷであり、レリーズＳＷ１２１ａ、モードＳＷ１２１ｂやその他の各種スイッチの総称である。この操作ＳＷ１２１の操作結果はＣＰＵ１０１に伝達される。なお、レリーズＳＷ１２１ａは、２段階に押下できるように構成されており、第１段目がＡＥ・ＡＦ処理のためのレリーズＳ１、第２段目が実際の撮影のためのレリーズＳ２となっている。
【００３６】
１２２は撮影時の輝度不足の際に、被写体に対して補助光（補助光やストロボ光）を照射する補助光発光部であり、スイッチング回路１２３により発光タイミングや発光量が制御されている。
【００３７】
なお、本実施の形態例のディジタルカメラ１００のＥＥＰＲＯＭ１２０には上述したように、相対的合焦位置情報が予め記憶されている。
【００３８】
ここで、相対的合焦位置情報としては、ディジタルカメラ１００の出荷前の検査時において、レンズユニット１０２ａの周辺ボケなどの検査を行い、フォーカスエリア（通常は撮影範囲の中心部分）を合焦させたときの、前記フォーカスエリア以外の所定の非フォーカスエリアにおける、フォーカスエリアに対する合焦ずれ量（相対的合焦位置）を示す相対的合焦位置情報を得ておく。
【００３９】
ここで、所定の非フォーカスエリアとは、図４（ａ）に示す例では、斜め左上，斜め右上，斜め左下，斜め右下の４箇所（図中の丸印）を意味する。なお、これら非フォーカスエリアとフォーカスエリア部分とを中心として、合計５エリアに区分けすることが可能である。また、所定の非フォーカスエリアは、図４（ｂ）に示す例では、上，右，左，下の４箇所（図中の丸印）を意味する。なお、これら非フォーカスエリアとフォーカスエリア部分とを中心として、合計５エリアに区分けすることが可能である。さらに、所定の非フォーカスエリアは、図４（ｃ）に示す例では、上，右，左，下，斜め左上，斜め右上，斜め左下，斜め右下の８箇所（図中の丸印）を意味する。なお、これら非フォーカスエリアとフォーカスエリア部分とを中心として、合計９エリアに区分けすることが可能である。なお、これらは一例であり、ここに示した例に限定されるものではない。
【００４０】
なお、被写体までの距離を変えて、たとえば、１ｍ，３ｍ，１０ｍ，∞などの各距離で、以上の非フォーカスエリアについての相対的合焦位置情報を得ておく。また、ズームレンズを使用する場合には、広角側，標準側，望遠側などの各焦点距離でも同様にして、被写体までの距離を変えて、以上の非フォーカスエリアについての相対的合焦位置情報を得ておく。
【００４１】
このようにして相対的合焦位置情報を得た場合に、フォーカスエリアとの合焦ずれが検査合格基準を超えて片ぼけが発生したものについて、ＥＥＰＲＯＭ１２０に相対的合焦位置情報として蓄積しておく。この場合、撮像範囲における位置，被写体までの距離，焦点距離，合焦ずれ量，を一連のデータとして格納する。なお、検査合格基準以下の合焦ずれであれば、ＥＥＰＲＯＭ１２０に蓄積することを要しない。
【００４２】
以下、図２のフローチャートを参照して、本実施の形態例のディジタルカメラ１００の動作について、特徴部分を中心に説明する。
【００４３】
この実施の形態例のディジタルカメラ１００では、所定のフォーカスエリア（撮像範囲の中心部分など）についてＡＥ・ＡＦ処理回路１１３にて合焦情報を得て、ＣＰＵ１０１の制御により、該合焦情報に基づいてレンズユニット１０２ａの少なくとも一部を駆動することで焦点調節を行い、これによりＣＣＤ１０２ｃに結像された被写体像を撮像するように構成されている。
【００４４】
ここで、撮影時にはＣＰＵ１０１はレリーズＳＷ１２１ａの押下状態を監視しており（図２ステップ１）、レリーズＳＷ１２１ａの第１段目（レリーズＳ１）が押下されたことを確認したら（図２ステップ１でＹ）、ＡＥ・ＡＦ処理回路１１３に測距と測光とを行わせる（図２ステップ２）。
【００４５】
なお、ＣＰＵ１０１はレリーズＳＷ１２１ａの押下状態を監視しており（図２ステップ３）、この測距と測光とは、レリーズＳＷ１２１ａの第２段目が押下されるまで続行する。
【００４６】
レリーズＳＷ１２１ａの第２段目（レリーズＳ２）が押下されたことを確認したら（図２ステップ３でＹ）、ＣＰＵ１０１は、ＡＦ演算結果に基づいてレンズユニット１０２ａを駆動して（図２ステップ４）、撮像を行ってＣＣＤ１０２ｃから読み出した読み出し信号を画像信号に変換してメモリ１０６に蓄積する（図２ステップ５）。なお、この時点でのＡＦ駆動と撮像とは、図４における撮像範囲の中心部分と、相対的合焦位置情報が存在しない周辺部分用である。
【００４７】
ここで、ＣＰＵ１０１はＥＥＰＲＯＭ１２０上の相対的合焦位置情報を参照し、相対的合焦位置情報が存在しない場合には（図２ステップ６でＮ）、メモリ１０６に蓄積した画像信号を圧縮伸長回路１１０によって圧縮画像信号に変換したうえで、記録用メモリに記録する（図２ステップ１０）。
【００４８】
ここで、ＥＥＰＲＯＭ１２０上に相対的合焦位置情報が存在する場合には（図２ステップ６でＹ）、検査時に周辺ボケが見つかったことを意味しており、周辺ボケ部分で合焦ずれを解消するように、画面中心部分でのＡＦ演算結果に対して相対的合焦位置情報を加味して、レンズユニット１０２ａを駆動する（図２ステップ７）。
【００４９】
なお、実際の被写体までの距離が、蓄積されている相対的合焦位置情報と完全に一致しない場合には、複数の相対的合焦位置情報を用いて補間演算によって求めればよい。
【００５０】
同様に、ズーム位置が、全ての焦点距離における相対的合焦位置情報を蓄積していない場合には、複数の相対的合焦位置情報を用いて補間演算によって求めればよい。
【００５１】
そして、相対的合焦位置情報に基づくレンズユニット１０２ａの駆動が完了した時点で、ＣＣＤ１０２ｃから読み出した読み出し信号を画像信号に変換してメモリ１０６に蓄積する（図２ステップ８）。なお、この時点でのフォーカス駆動と撮像とは、図４において、相対的合焦位置情報が存在する（周辺ボケが生じている）周辺部分用である。
【００５２】
なお、相対的合焦位置情報が存在する（周辺ボケが生じている）周辺部分が１箇所ではなく複数存在している場合には、ＣＰＵ１０１の制御により、ステップ６〜ステップ８のフォーカス駆動と撮像とを繰り返し実行し、それぞれ得た画像信号をメモリ１０６に蓄積する。
【００５３】
また、以上のようなフォーカス駆動と撮像とは、画像合成した場合に違和感が生じないように、なるべく短い時間に、ほぼ連続して実行することが好ましい。
【００５４】
そして、ＣＰＵ１０１は、以上のようにして得た複数の画像信号について、メモリ１０６上で画像合成を行う。すなわち、フォーカスエリアに合焦させた状態で得た画像データに対して、前記相対的合焦位置情報が存在する非フォーカスエリアに合焦させた状態で得た該非フォーカスエリアの画像データを合成する。
【００５５】
なお、図４（ａ）のように領域をわけた場合において、相対的合焦位置情報が存在する非フォーカスエリアが右上部分だけであるとした場合の様子を図５に示す。この場合、フォーカスエリアに合焦させた状態で得た画像データから、前記相対的合焦位置情報が存在する非フォーカスエリアを除いた状態の画像データ（図５（ａ）参照）を生成し、これに対して、前記相対的合焦位置情報が存在する非フォーカスエリアに合焦させた状態で得た該非フォーカスエリアの画像データ（図５（ｂ）参照）を合成して、全体の画像データ（図５（ｃ）参照）を生成することが望ましい。
【００５６】
また、画像合成を行う境界部分において、被写体などの画像の不整合が生じないように、境界部分近傍の一定範囲で、スムージングや平均化などの画像処理を行うことも望ましい。
【００５７】
そして、以上のように画像合成を行って生成した画像データを、圧縮伸長回路１１０で圧縮画像信号に変換してから記録用メモリ１０９に記録する（図２ステップ１０）。
【００５８】
以上のように撮像と画像合成とを実行することで、所定のフォーカスエリアで合焦させるだけではなく、撮像範囲の周辺位置の非フォーカスエリアでも合焦させた状態の画像データを生成することができるため、周辺ボケなどの対策のために、高精度な部品や高精度な製造工程を取り入れることなく、光学系の再調整の工程も不要にすることが可能になる。
【００５９】
また、このように再調整の工程が不要になるため、高性能なディジタルカメラを廉価に製造することが可能になる。また、周辺部において周辺ボケなどによる違和感のない解像感の高い画像を得ることが可能になる。
【００６０】
〈その他の実施の形態例▲１▼〉
なお、以上の説明で、所定のフォーカスエリアを撮像範囲の中心部分としてきたが、フォーカスエリアをユーザが選択できるものや、フォーカスエリアを任意に移動できるものに対しても、本実施の形態例を適用することは可能である。
【００６１】
〈その他の実施の形態例▲２▼〉
また、撮像の順番に関しては、所定のフォーカスエリア（以上の具体例では撮像範囲の中心部分）が最初である必要はなく、フォーカスレンズの駆動が１方向に連続して行えるように、撮像開始前のフォーカス位置と非フォーカスエリアのピントずれ方向とを参照して、撮像順番を変更するようにしてもよい。
【００６２】
〈その他の実施の形態例▲３▼〉
なお、焦点制御としては、以上の実施の形態例では、撮像レンズを駆動することにより合焦情報を得るパッシブＡＦ方式のものを用いているが、これに限定されるものではない。すなわち、赤外線や超音波等を被写体に照射するアクティブＡＦ方式を用いることも可能である。
【００６３】
【発明の効果】
以上、説明したように、本発明では、所定のフォーカスエリア（撮像範囲の中心部分など）について合焦情報を得て、該合焦情報に基づいて撮像光学系の少なくとも一部を駆動することで焦点調節を行い、撮像光学系により結像された被写体像を撮像する場合、前記フォーカスエリア以外の所定の非フォーカスエリアにおける、前記フォーカスエリアに対する合焦ずれ量を示す相対的合焦位置情報を予め記憶しておき、フォーカスエリアに合焦させた状態での撮像と、前記相対的合焦位置情報に基づいて、前記相対的合焦位置情報が存在する非フォーカスエリアに合焦させた状態での撮像とを行い、フォーカスエリアに合焦させた状態で得た画像データに対して、前記相対的合焦位置情報が存在する非フォーカスエリアに合焦させた状態で得た該非フォーカスエリアの画像データを合成する。このようにすることで、所定のフォーカスエリアで合焦させるだけではなく、撮像範囲の周辺位置の非フォーカスエリアでも合焦させた状態の画像データを生成することができるため、周辺ボケなどの対策のために、高精度な部品や高精度な製造工程を取り入れることなく、再調整の工程も不要にすることが可能になる。
【図面の簡単な説明】
【図１】本発明の実施の形態例の撮像方法および撮像装置の実施の形態例が適用されるディジタルカメラの電気的構成を示す構成図である。
【図２】本発明の実施の形態例の撮像の動作状態示すフローチャートである。
【図３】本発明の実施の形態例のディジタルカメラの外観構成を示す説明図である。
【図４】本発明の実施の形態例の撮像におけるフォーカスエリアと非フォーカスエリアとを示す説明図である。
【図５】本発明の実施の形態例の撮像における画像合成の様子を具体例により説明する説明図である。
【符号の説明】
１００  ディジタルカメラ
１０１  ＣＰＵ
１０２  撮像部
１０４  撮像回路
１０５  Ａ−Ｄ変換回路
１０６  メモリ
１０７  Ｄ−Ａ変換回路
１０８  画像表示部
１０９  記録用メモリ
１１０  圧縮伸長回路
１１３  ＡＥ・ＡＦ処理回路
１２０  ＥＥＰＲＯＭ
１２１  操作ＳＷ
【図１】
2004241823.tif 000003
【図２】
2004241823.tif 000004
【図３】
2004241823.tif 000005
【図４】
2004241823.tif 000006
【図５】
2004241823.tif 000007